(57)【要約】【課題】メディア供給用スタッカに印刷可能メディアと印刷不可メディアが混在している場合でも、印刷可能メディアにレーベル印刷できるメディア処理装置を提供すること。【解決手段】ＣＤ／ＤＶＤパブリッシャ１は、メディア３に赤色光、青色光、黄色光を照射する各ＬＥＤ１１、１２、１３と、レーベル面３ａからの各光の反射光を検出する光検出器１４、１５、１６と、これらが検出した各反射光の光量に基づいてメディア３がレーベル印刷可能な印刷可能メディアかそれ以外の印刷不可メディアかを判別する印刷可否判別手段２２を有する。メディア供給用スタッカ４からメディア３を取り出す際にメディア３に各光を照射して印刷可能メディアか印刷不可メディアかを判別し、印刷可能メディアが取り出されるまで印刷不可メディアをメディア排出用スタッカ７に退避させる。この結果、印刷可能メディアがメディアドライブ５およびレーベルプリンタ６に供給される。【選択図】図１
2009238307.tif 000002
【特許請求の範囲】
【請求項１】
メディア供給用スタッカから取り出したメディアに対し、メディアドライブによるデータの書き込み、および／またはプリンタによるレーベルの印刷を行い、前記メディアをメディア排出用スタッカに排出するメディア処理装置の駆動制御方法であって、
前記メディアのレーベル面に所定の光を照射し、
前記メディアのレーベル面からの反射光に基づいて、前記メディアが印刷前の印刷可能メディアか、印刷後の印刷不可メディアかを判別し、
前記印刷不可メディアであると判別した場合には、当該印刷不可メディアを退避場所に退避させることを特徴とするメディア処理装置の駆動制御方法。
【請求項２】
請求項１に記載のメディア処理装置の駆動制御方法において、
前記印刷可能メディアが前記メディアドライブまたは前記プリンタにあるとき、前記退避場所に退避させた前記印刷不可メディアを前記メディア供給用スタッカに搬送することを特徴とするメディア処理装置の駆動制御方法。
【請求項３】
請求項１または２に記載のメディア処理装置の駆動制御方法において、
前記退避場所は、前記メディア排出用スタッカ、または、前記メディア排出用スタッカとは別に配置したメディア退避用スタッカであることを特徴とするメディア処理装置の駆動制御方法。
【請求項４】
請求項１ないし３のうちのいずれかの項に記載されているメディア処理装置の駆動制御方法において、
前記メディアに対して前記データの書き込みを行なうデータ書き込み指令および前記メディアに対して前記レーベルの印刷を行なうレーベル印刷指令のうち、少なくとも前記データ書き込み指令が含まれているメディア発行指令を上位機器から受信し、
前記メディア供給用スタッカから前記メディアを取り出す前に、前記メディア発行指令に前記レーベル印刷指令が含まれているか否かを判別し、
前記レーベル印刷指令が含まれていない場合には、前記メディアが前記印刷可能メディアか前記印刷不可メディアかを判別することなく、前記メディア供給用スタッカから取り出した前記メディアを前記メディアドライブへ供給し、
前記データが書き込まれた前記メディアを、前記プリンタに供給することなく前記メディア排出用スタッカに排出することを特徴とするメディア処理装置の駆動制御方法。
【請求項５】
請求項４に記載のメディア処理装置の駆動制御方法において、
前記レーベル印刷指令が含まれていない場合には、前記メディアのレーベル面に前記所定の光を照射しないことを特徴とするメディア処理装置の駆動制御方法。
【請求項６】
メディアを収納するメディア供給用スタッカと、前記メディアにデータを書き込むメディアドライブと、前記メディアにレーベルを印刷するプリンタと、前記メディアを排出するメディア排出用スタッカと、前記メディアを搬送するメディア搬送手段とを有するメディア処理装置であって、
前記メディアのレーベル面に所定の光を照射し、前記メディアのレーベル面からの反射光を検出する光検出器と、
前記光検出器が検出した反射光の光量に基づいて、前記メディアが印刷前の印刷可能メディアか、印刷後の印刷不可メディアかを判別する印刷可否判別手段とを有し、
前記メディア搬送手段は、前記印刷不可メディアを退避場所に退避させることを特徴とするメディア処理装置。
【請求項７】
請求項６に記載されているメディア処理装置において、
前記メディア搬送手段は、前記印刷可能メディアが前記メディアドライブまたは前記プリンタにあるとき、前記退避場所に退避させた前記印刷不可メディアを前記退避場所から前記メディア供給用スタッカに搬送することを特徴とするメディア処理装置。
【請求項８】
請求項６または７に記載のメディア処理装置において、
前記退避場所は、前記メディア排出用スタッカ、または、前記メディア排出用スタッカとは別に配置したメディア退避用スタッカであることを特徴とするメディア処理装置。
【請求項９】
請求項６ないし８のうちのいずれかの項に記載されているメディア処理装置において、
前記メディア搬送手段は、前記メディア供給用スタッカから前記メディアを取り出す際に、前記メディアのレーベル面の一部分を覆った状態で当該メディアを把持するメディアキャリアを備えており、
前記光検出器は前記メディアキャリアに取り付けられていることを特徴とするメディア処理装置。
【請求項１０】
請求項６ないし９のうちのいずれかの項に記載されているメディア処理装置において、
前記メディアに対して前記データの書き込みを行なうデータ書き込み指令および前記メディアに対して前記レーベルの印刷を行なうレーベル印刷指令のうち、少なくとも前記データ書き込み指令が含まれているメディア発行指令を上位機器から受信する制御指令受信手段と、
前記メディア供給用スタッカから前記メディアを取り出す前に、前記メディア発行指令に前記レーベル印刷指令が含まれているか否かを判別する印刷有無判別手段とを有し、
前記印刷可否判別手段は、前記レーベル印刷指令が含まれていない場合には、前記メディアが前記印刷可能メディアか前記印刷不可メディアかの判別を行わず、
前記メディア搬送手段は、前記レーベル印刷指令が含まれていない場合には、前記メディア供給用スタッカから取り出した前記メディアを前記メディアドライブに供給した後に、前記プリンタに供給することなく前記メディア排出用スタッカに排出することを特徴とするメディア処理装置。
【請求項１１】
請求項１０に記載されているメディア処理装置において、
前記レーベル印刷指令が含まれていない場合には、前記所定の光を照射しないことを特徴とするメディア処理装置。
【発明の詳細な説明】
【技術分野】
【０００１】
本発明は、ＣＤやＤＶＤなどのメディアにデータの書き込みおよびレーベルの印刷を行なうＣＤ／ＤＶＤパブリッシャなどのメディア処理装置に関する。より詳細には、レーベルの印刷が可能な印刷可能メディアと、レーベルの印刷ができない印刷不可メディアとがメディア供給用スタッカに混在している場合でも、印刷可能メディアにレーベルを印刷することができるメディア処理装置の駆動制御方法に関する。
【背景技術】
【０００２】
デュプリケータ、ＣＤ／ＤＶＤパブリッシャなどと呼ばれているメディア処理装置は、メディア供給用スタッカからメディアドライブにブランクメディアを供給してデータを書き込み、データが書き込まれたメディアをレーベルプリンタに供給してレーベルの印刷を行い、これによって発行されたメディアをメディア排出用スタッカに排出し、あるいはメディア排出口から排出するようになっている。メディア供給用スタッカはメディア処理装置の筐体内に配置されており、オペレータは、複数枚のブランクメディアをその厚み方向に積層した状態でメディア供給用スタッカに収納しておいて、メディア処理装置にメディアの発行処理動作を連続的に行わせる。このようなメディア処理装置は特許文献１に開示されている。
【特許文献１】特開２０００−２６０１７２号公報
【発明の開示】
【発明が解決しようとする課題】
【０００３】
ブランクメディアなどのデータの書き込みが可能なメディアには、オリジナルのレーベルを印刷することができるようにレーベル面が白色などの無地になっている印刷可能メディアと、レーベル面に予め印刷が施されているもので、さらに重ねて印刷すると印刷品質を損ねてしまう印刷不可メディアがある。ユーザは、発行するメディアの用途に合わせて、レーベルの印刷が必要な場合には印刷可能メディアを用い、その必要がない場合には印刷不可メディアを用いている。
【０００４】
ここで、メディア処理装置の外側からでは筐体内のメディア供給用スタッカに収納されているメディアが印刷可能メディアか印刷不可メディアかを確認することはできない。このため、オペレータが、印刷可能メディアと印刷不可メディアとをメディア供給用スタッカの中に混在させて収納してしまうと、レーベルの印刷が必要なメディアの発行処理動作が行われているにも拘わらず印刷不可メディアが用いられ、この印刷不可メディアに対してレーベルの印刷が行われてしまうことがある。このような場合には、所望のレーベルが得られないので、オペレータはメディア処理装置の筐体を開けてその中にあるメディア供給用スタッカに印刷可能メディアが収納されていることを確認し、しかる後に、再びメディア処理装置にメディアの発行処理動作を行わせなければならない。
【０００５】
本発明の課題は、このような点に鑑みて、印刷可能メディアと印刷不可メディアがメディア供給用スタッカに混在している場合でも、印刷可能メディアにレーベルを印刷することができるメディア処理装置の駆動制御方法、およびメディア処理装置を提案することにある。
【課題を解決するための手段】
【０００６】
上記の課題を解決するために、本発明は、メディア供給用スタッカから取り出したメディアに対し、メディアドライブによるデータの書き込み、および／またはプリンタによるレーベルの印刷を行い、メディア排出用スタッカに排出するメディア処理装置の駆動制御方法であって、
前記メディアのレーベル面に所定の光を照射し、
前記メディアのレーベル面からの反射光に基づいて、前記メディアが印刷前の印刷可能メディアか、印刷後の印刷不可メディアかを判別し、
前記印刷不可メディアであると判別した場合には、当該印刷不可メディアを退避場所に退避させることを特徴とする。
【０００７】
本発明によれば、メディア供給用スタッカからメディアを取り出す際などの印刷する前に、このメディアが印刷可能メディアか印刷不可メディアかを判別する。また、メディア供給用スタッカから印刷可能メディアを取り出し、取り出したものが印刷不可メディアである場合、退避場所に退避させる。この結果、メディアドライブおよびプリンタには印刷可能メディアだけが供給されるので、誤って印刷不可メディアのレーベル面にレーベルが印刷されてしまうことがない。また、メディアのレーベル面がレーベル印刷可能な無地の場合には、レーベル面に照射された所定の光は、レーベル面で反射する。例えば、照射される光が赤色光、青色光および黄色光であり、メディアのレーベル面が白色の場合には、レーベル面に照射された赤色光、青色光および黄色光は、それぞれレーベル面で全反射する。レーベル面印刷が施されているといずれかの光が吸収されるため、いずれかの反射光の光量が少なくなる。従って、これらの各反射光の光量に基づけば、メディア供給用スタッカから取り出されるメディアが印刷可能メディアか印刷不可メディアかを容易に判別することができる。
【０００８】
本発明において、退避場所に退避させた印刷不可メディアをメディア供給用スタッカに戻す際には、前記印刷可能メディアが前記メディアドライブまたは前記プリンタにあるとき、前記退避場所に退避させた前記印刷不可メディアを前記メディア供給用スタッカに搬送することが望ましい。このようにすれば、メディアドライブでデータの書き込み、またはプリンタで印刷が行われている間に、印刷不可メディアを移動させることができるので、印刷不可メディアを退避場所から元に戻す動作によってメディアの発行処理動作が遅延してしまうことがない。
【０００９】
本発明において、前記退避場所は、前記メディア排出用スタッカ、または、前記メディア排出用スタッカとは別に配置したメディア退避用スタッカであることが望ましい。退避場所としてメディア排出用スタッカを用いれば、メディア処理装置内のスタッカの数を増やすことなく印刷不可メディアを退避させることができる。また、排出場所をメディア排出用スタッカとは別に配置したメディア退避用スタッカとすれば、印刷不可メディアだけを一つのスタッカに退避させることができる。
【００１０】
本発明において、レーベルの印刷が必要ない場合にメディア処理装置によるメディアの発行処理動作を迅速に行うためには、前記メディアに対して前記データの書き込みを行なうデータ書き込み指令および前記メディアに対して前記レーベルの印刷を行なうレーベル印刷指令のうち、少なくとも前記データ書き込み指令が含まれているメディア発行指令を上位機器から受信し、前記メディア供給用スタッカから前記メディアを取り出す前に、前記メディア発行指令に前記レーベル印刷指令が含まれているか否かを判別し、前記レーベル印刷指令が含まれていない場合には、前記メディアが前記印刷可能メディアか前記印刷不可メディアかを判別することなく、前記メディア供給用スタッカから取り出した前記メディアを前記メディアドライブへ供給し、前記データが書き込まれた前記メディアを、前記プリンタに供給することなく前記メディア排出用スタッカに排出することが望ましい。
【００１１】
また、前記レーベル印刷指令が含まれていない場合には、前記メディアのレーベル面に前記所定の光を照射しないことが望ましい。
【００１２】
次に、本発明は、メディアを収納するメディア供給用スタッカと、前記メディアにデータを書き込むメディアドライブと、前記メディアにレーベルを印刷するプリンタと、前記メディアを排出するメディア排出用スタッカと、前記メディアを搬送するメディア搬送手段とを有するメディア処理装置であって、
前記メディアのレーベル面に所定の光を照射し、前記メディアのレーベル面からの反射光を検出する光検出器と、
前記光検出器が検出した反射光に基づいて、前記メディアが印刷前の印刷可能メディアか、印刷後の印刷不可メディアかを判別する印刷可否判別手段とを有し、
前記メディア搬送手段は、前記印刷不可メディアを退避場所に退避させることを特徴とする。
【００１３】
本発明によれば、印刷可否判別手段はこのメディアが印刷可能メディアか印刷不可メディアかを判別する。また、メディア搬送手段は、メディア供給用スタッカから取り出された印刷不可メディアを退避場所に退避させる。この結果、プリンタには印刷可能メディアだけが供給されるので、誤って印刷不可メディアのレーベル面にレーベルが印刷されてしまうことがない。また、メディアのレーベル面がレーベル印刷可能な無地の場合には、レーベル面に照射された所定の光は、レーベル面で反射する。例えば、照射される光が赤色光、青色光および黄色光であり、レーベル面が白色の場合には、赤色ＬＥＤ、青色ＬＥＤおよび黄色ＬＥＤからメディアのレーベル面に向かって射出された赤色光、青色光および黄色光は、それぞれレーベル面で全反射される。レーベル面印刷が施されているといずれかの光が吸収されるため、いずれかの反射光の光量が少なくなる。従って、印刷可否判別手段は、光検出器が検出したこれらの各反射光の光量に基づいてメディア供給用スタッカから取り出されるメディアが印刷可能メディアか印刷不可メディアかを容易に判別することができる。
【００１４】
本発明において、退避場所に退避させた印刷不可メディアをメディア供給用スタッカに戻す際には、前記メディア搬送手段は、前記印刷可能メディアが前記メディアドライブまたは前記プリンタにあるとき、前記退避場所に退避させた前記印刷不可メディアを前記退避場所から前記メディア供給用スタッカに搬送することが望ましい。このようにすれば、メディアドライブでデータの書き込みまたはプリンタで印刷が行われている間に印刷不可メディアを移動させることができるので、メディア搬送手段が印刷不可メディアを移動させる動作によってメディアの発行処理動作が遅延してしまうことがない。
【００１５】
本発明において、前記退避場所は、前記メディア排出用スタッカ、または、前記メディア排出用スタッカとは別に配置したメディア退避用スタッカであることが望ましい。退避場所としてメディア排出用スタッカを用いれば、メディア処理装置内のスタッカの数を増やすことなく印刷不可メディアを退避させることができる。また、排出場所をメディア排出用スタッカとは別に配置したメディア退避用スタッカとすれば、印刷不可メディアだけを一つのスタッカに退避させることができる。
【００１６】
本発明において、前記メディア搬送手段は、前記メディア供給用スタッカから前記メディアを取り出す際に、前記メディアのレーベル面の一部分を覆った状態で当該メディアを把持するメディアキャリアを備えており、前記光検出器は前記メディアキャリアに取り付けられていることが望ましい。このようなメディアキャリアに光検出器を取り付けておけば、メディアをメディア供給用スタッカから取り出す際に、所定の光をレーベル面に照射することが容易にできる。また、レーベル面からの反射光の光量を精度よく検出することができるので、取り出されるメディアが印刷可能メディアであるか印刷不可メディアであるかを誤りなく判別することができる。
【００１７】
また、本発明において、レーベルの印刷が必要ない場合にメディア処理装置によるメディアの発行処理動作を迅速に行うためには、前記メディアに対して前記データの書き込みを行なうデータ書き込み指令および前記メディアに対して前記レーベルの印刷を行なうレーベル印刷指令のうち、少なくとも前記データ書き込み指令が含まれているメディア発行指令を上位機器から受信する制御指令受信手段と、前記メディア供給用スタッカから前記メディアを取り出す前に、前記メディア発行指令に前記レーベル印刷指令が含まれているか否かを判別する印刷有無判別手段とを有し、前記印刷可否判別手段は、前記レーベル印刷指令が含まれていない場合には、前記メディアが前記印刷可能メディアか前記印刷不可メディアかの判別を行わず、前記メディア搬送手段は、前記レーベル印刷指令が含まれていない場合には、前記メディア供給用スタッカから取り出した前記メディアを前記メディアドライブに供給した後に、前記プリンタに供給することなく前記メディア排出用スタッカに排出することが望ましい。
【００１８】
また、前記レーベル印刷指令が含まれていない場合には、前記所定の光を照射しないことが望ましい。
【発明の効果】
【００１９】
本発明によれば、メディア供給用スタッカからメディアを取り出す際に、このメディアが印刷可能メディアか印刷不可メディアかを判別する。また、メディア供給用スタッカから印刷可能メディアを取り出すまで、取り出した印刷不可メディアを退避場所に退避させる。この結果、メディアドライブおよびプリンタには印刷可能メディアだけが供給されるので、誤って印刷不可メディアのレーベル面にレーベルが印刷されてしまうことがない。また、メディアのレーベル面がレーベル印刷可能な白色の場合には、レーベル面に照射された赤色光、青色光および黄色光は、それぞれレーベル面で全反射する。従って、これらの各反射光の光量に基づけば、メディア供給用スタッカから取り出されるメディアが印刷可能メディアか印刷不可メディアかを容易に判別することができる。
【発明を実施するための最良の形態】
【００２０】
以下に、図面を参照して本発明を適用したメディア処理装置の実施の形態を説明する。
【００２１】
（全体構成）
図１は本発明を適用したＣＤ／ＤＶＤパブリッシャの概略構成図である。本例のＣＤ／ＤＶＤパブリッシャ１は、その筐体２内に、ブランクメディアなどの書き込み可能なメディア３を収納するためのメディア供給用スタッカ４と、メディア３へのデータの書き込みおよびメディア３からのデータの読み出しを行うメディアドライブ５と、データが書き込まれたメディア３のレーベル面３ａに、書き込みデータの内容を表すタイトルなどを含むレーベルを印刷するレーベルプリンタ６と、データの書き込みやレーベルの印刷などが行われたメディア３を排出するためのメディア排出用スタッカ７と、メディア３を搬送するためのメディア搬送手段８と、メディア搬送手段８に取り付けられている赤色ＬＥＤ１１、青色ＬＥＤ１２および黄色ＬＥＤ１３並びに３つの光検出器１４、１５、１６と、各部の駆動制御を司る制御部２０を有している。
【００２２】
メディア供給用スタッカ４は、メディア３を、レーベル面３ａを上にした状態で厚さ方向に積層して収納する。
【００２３】
メディア搬送手段８は、メディア３を筐体２内の各部分に搬送するものであり、メディア３のレーベル面３ａの一部分を外周側から中心に延びる帯状に覆った状態で、このメディア３の中心部分を把持するメディアキャリア３０を備えている。メディアキャリア３０はメディア供給用スタッカ４における最も上の位置から順次にメディア３を取り出すことができる。
【００２４】
レーベル面３ａの白色を検出できるように、赤色ＬＥＤ１１、青色ＬＥＤ１２および黄色ＬＥＤ１３は、メディアキャリア３０によって把持されているメディア３のレーベル面３ａに赤色光、青色光および黄色光を照射できるように、メディアキャリア３０の下端面部分３１に取り付けられている。各ＬＥＤ１１、１２、１３はメディア供給用スタッカ４からメディア３を取り出す際に、制御部２０によって発光させられる。また、３つの光検出器１４、１５、１６は、レーベル面３ａから反射される赤色光の反射光、青色光の反射光および黄色光の反射光の各光量をそれぞれ検出することができるように、メディアキャリア３０の下端面部分３１に取り付けられている。各光検出器１４、１５、１６は、それぞれ赤色ＬＥＤ１１、青色ＬＥＤ１２および黄色ＬＥＤ１３を含むものでもよく、さらに一つの光検出器で照射光を切り替えるものでもよい。
【００２５】
制御部２０の入力側には、通信ケーブルやネットワークを介してパーソナルコンピュータなどの上位機器１７に接続されている。また、３つの光検出器１４、１５、１６からの光量の検出信号が入力されるようになっている。制御部２０の出力側には、メディアドライブ５、レーベルプリンタ６、メディア搬送手段８が接続されている。
【００２６】
制御部２０は、ＣＤ／ＤＶＤパブリッシャ１を駆動制御してメディア３を発行させるメディア発行指令を上位機器１７から受信するための制御指令受信手段２１を備えている。ここで、制御指令受信手段２１が上位機器１７から受信するメディア発行指令には、メディアドライブ５を駆動制御してデータの書き込みを行わせるデータ書き込み指令、およびレーベルプリンタ６を駆動制御してレーベルの印刷を行なわせるレーベル印刷指令のうち、少なくともデータ書き込み指令が含まれている。また、上位機器１７の側からは、書き込み用のデータ、レーベルを印刷するための印刷データなどが必要に応じて供給されるようになっている。また、制御部２０は、印刷可否判別手段２２と印刷有無判別手段２３を備えている。
【００２７】
印刷可否判別手段２２は、メディア供給用スタッカ４からメディア３を取り出す際に、３つの光検出器１４、１５、１６が検出した各反射光の光量に基づいて、メディア供給用スタッカ４から取り出されるメディア３が、レーベル面３ａに対して印刷が施されておらずレーベルの印刷ができる印刷可能メディアか、レーベル面３ａに対するプリプリントを含む印刷後のものでレーベルを印刷することができない印刷不可メディアかを判別する。
【００２８】
すなわち、メディア供給用スタッカ４からメディア３を取り出す際に、制御部２０によって赤色ＬＥＤ１１、青色ＬＥＤ１２および黄色ＬＥＤ１３が発光させられて、赤色光、青色光および黄色光がレーベル面３ａに照射されると、レーベル面３ａがレーベル印刷可能な白色の場合には、赤色光、青色光および黄色光はそれぞれレーベル面３ａで全反射する。従って、印刷可否判別手段２２は、各光検出器１４、１５、１６が検出したこれら赤色光の反射光、青色光の反射光および黄色光の反射光の各光量がいずれも所定の最大値になっていれば、このメディア３が印刷可能メディアであると判別することができる。一方、各光検出器１４、１５、１６が検出したこれら赤色光の反射光、青色光の反射光および黄色光の反射光の各光量のいずれかが所定の最大値よりも小さな値になっていれば、レーベル面３ａは何らかの印刷がされていて白色ではないので、このメディア３が印刷不可メディアであると判別することができる。
【００２９】
なお、印刷可否判別手段２２によって、メディア３が印刷可能メディアであると判別された場合には、制御部２０はメディア搬送手段８を駆動制御して、メディア供給用スタッカ４から取り出したメディア３をメディアドライブ５に供給する（ステップＳＴ１）。しかる後に、メディアドライブ５においてデータが書き込まれたメディア３をレーベルプリンタ６に供給する（ステップＳＴ２）。また、レーベルプリンタ６においてレーベルの印刷が行われたメディア３をメディア排出用スタッカ７に排出する（ステップＳＴ３）。
【００３０】
一方、メディア３が印刷不可メディアであると判別された場合には、メディア供給用スタッカ４から印刷可能メディアを取り出すまで、制御部２０はメディア搬送手段８を駆動制御して、メディア供給用スタッカ４から取り出したメディア３をメディア排出用スタッカ７に退避させる（ステップＳＴ４）。
【００３１】
なお、ステップＳＴ４が行われた後に、メディア供給用スタッカ４から取り出されたメディア３が印刷可能メディアであると判別されて、このメディア３がメディアドライブ５に供給されると（ステップＳＴ１）、制御部２０はメディア搬送手段８を駆動制御して、メディア排出用スタッカ７に退避させた印刷不可メディアが無くなるまで、メディア排出用スタッカ７からメディア供給用スタッカ４に印刷不可メディアを戻す動作を繰り返す（ステップＳＴ５）。
【００３２】
具体的には、制御部２０は、印刷不可メディアをメディア排出用スタッカ７に退避させる際に、退避させた印刷不可メディアの枚数をカウントしており、メディア排出用スタッカ７からメディア供給用スタッカ４に印刷不可メディアを戻す際には、その枚数分だけ印刷不可メディアを戻す動作を繰り返す。なお、メディア排出用スタッカ７に退避させた印刷不可メディアが無い場合、すなわち、ステップＳＴ４が行われていない場合には、ステップＳＴ１の後にステップＳＴ５は行われない。
【００３３】
印刷有無判別手段２３は、制御指令受信手段２１がメディア発行指令を受信すると、メディア供給用スタッカ４からメディア３を取り出す前に、メディア発行指令にレーベル印刷指令が含まれているか否かを判別する。すなわち、オペレータがレーベルの印刷を望まない場合には、メディア発行指令にはデータ書き込み指令だけが含まれており、レーベル印刷指令は含まれていない。
【００３４】
ここで、印刷有無判別手段２３によって、メディア発行指令にレーベル印刷指令が含まれていないと判別されると、制御部２０は各ＬＥＤ１１、１２、１３を発光させない。また、印刷可否判別手段２２はメディア３が印刷可能メディアか印刷不可メディアかの判別を行わない。さらに、制御部２０はメディア搬送手段８を駆動制御して、メディア供給用スタッカ４から取り出したメディア３をメディアドライブ５に供給し（ステップＳＴ１）、しかる後に、データが書き込まれたメディア３を、レーベルプリンタ６に供給することなくメディア排出用スタッカ７に排出する（ステップＳＴ６）。
【００３５】
（メディアの発行処理動作）
図２はＣＤ／ＤＶＤパブリッシャ１によるメディア３の発行処理動作を示すフローチャートである。このフローチャートに従ってメディア３の発行処理動作を説明する。
【００３６】
制御指令受信手段２１が上位機器１７からメディア発行指令を受信すると（ステップＳＴ１０）、印刷有無判別手段２３はメディア発行指令にレーベル印刷指令が含まれているか否かを判別する（ステップＳＴ１１）。
【００３７】
ステップＳＴ１１において、レーベル印刷指令が含まれている場合には、制御部２０は、メディア搬送手段８を駆動制御してメディア供給用スタッカ４からメディアキャリア３０でメディア３を取り出す際に、赤色ＬＥＤ１１、青色ＬＥＤ１２および黄色ＬＥＤ１３を発光させて赤色光、青色光および黄色光をメディアキャリア３０に把持されているメディア３のレーベル面３ａに照射する（ステップＳＴ１２）。
【００３８】
すると、印刷可否判別手段２２は、３つの光検出器１４、１５、１６が検出するレーベル面３ａからの赤色光の反射光、青色光の反射光および黄色光の反射光の各光量に基づいて、メディアキャリア３０に把持されているメディア３が印刷可能メディアか印刷不可メディアかを判別する（ステップＳＴ１３）。
【００３９】
ステップＳＴ１３において、メディア供給用スタッカ４から取り出したメディア３が印刷可能メディアであると判別された場合には、制御部２０はメディア搬送手段８を駆動制御して、メディアキャリア３０に把持されているメディア３をメディアドライブ５へ供給する。また、メディアドライブ５にデータ書き込みを行なわせる（ステップＳＴ１４）。データ書き込みが行われると、制御部２０はメディア搬送手段８を駆動制御して、データの書き込みが行われたメディア３をレーベルプリンタ６に供給する。また、レーベルプリンタ６にレーベルの印刷を行なわせる（ステップＳＴ１５）。しかる後に、制御部２０はメディア搬送手段８を駆動制御して、レーベルが印刷されたメディア３をメディア排出用スタッカ７に排出する。（ステップＳＴ１６）。
【００４０】
ステップＳＴ１３において、メディア供給用スタッカ４から取り出したメディア３が印刷不可メディアであると判別された場合には、メディア供給用スタッカ４から印刷可能メディアを取り出すまで、制御部２０はメディア搬送手段８を駆動制御して、メディア供給用スタッカ４から取り出した印刷不可メディアをメディア排出用スタッカ７に退避させる動作を繰り返す（ステップＳＴ１７）。
【００４１】
すなわち、メディア搬送手段８がメディア供給用スタッカ４からメディアキャリア３０でメディア３を取り出す毎に、制御部２０は赤色ＬＥＤ１１、青色ＬＥＤ１２および黄色ＬＥＤ１３を発光させる。また、メディア３のレーベル面３ａに照射された赤色光、青色光および黄色光の反射光を３つの光検出器１４、１５、１６で検出し、これら赤色光の反射光、青色光の反射光および黄色光の反射光の各光量に基づいてメディアキャリア３０に把持されているメディア３が印刷可能メディアか印刷不可メディアかを判別する。そして、印刷不可メディアであると判別された場合には、メディア供給用スタッカ４から取り出した印刷不可メディアをメディア排出用スタッカ７に退避させる（ステップＳＴ１２、ＳＴ１３、ＳＴ１７）。
【００４２】
その後、ステップＳＴ１２においてメディア供給用スタッカ４から取り出したメディア３が、ステップＳＴ１３において印刷可能メディアであると判別されると、このメディア３はメディアドライブ５に供給され、データの書き込みおよびレーベルの印刷が行われて、メディア排出用スタッカ７に排出される（ステップＳＴ１４〜ＳＴ１６）。
【００４３】
なお、ステップＳＴ１７が行われた後にメディア供給用スタッカ４から取り出したメディア３がメディアドライブ５に供給された場合には、このメディア３にデータの書き込みが行われているステップＳＴ１４の間に、制御部２０はメディア搬送手段８を駆動制御して、メディア排出用スタッカ７に退避させた印刷不可メディアが無くなるまで、メディア排出用スタッカ７からメディア供給用スタッカ４に印刷不可メディアを戻す動作を繰り返す（ステップＳＴ１８）。
【００４４】
次に、ステップＳＴ１１において、メディア発行指令にレーベル印刷指令が含まれていない場合には、メディア供給用スタッカ４から取り出したメディア３が印刷可能メディアか印刷不可メディアかを判別する必要がないので、制御部２０は各ＬＥＤ１１、１２、１３を発光させない。また、印刷可否判別手段２２はメディア３が印刷可能メディアか印刷不可メディアかを判別しない。
【００４５】
従って、制御部２０はメディア搬送手段８を駆動制御して、メディア供給用スタッカ４から取り出したメディア３をメディアドライブ５へ供給して、メディアドライブ３にデータの書き込みを行わせる（ステップＳＴ１９、ＳＴ２０）。また、データが書き込まれたメディア３を、レーベルプリンタ６に供給することなく、メディア排出用スタッカ７に排出する（ステップＳＴ１６）。
【００４６】
（作用効果）
本例によれば、上位機器１７からのメディア発行指令にレーベル印刷指令が含まれている場合には、メディア搬送手段８がメディア供給用スタッカ４からメディア３を取り出す際に、印刷可否判別手段２２はこのメディア３が印刷可能メディアか印刷不可メディアかを判別する。また、メディア供給用スタッカ４から印刷可能メディアを取り出すまで、メディア搬送手段８はメディア供給用スタッカ４から取り出した印刷不可メディアをメディア排出用スタッカ７に退避させる。この結果、メディアドライブ５およびレーベルプリンタ６には印刷可能メディアだけが供給されるので、誤って印刷不可メディアのレーベル面３ａにレーベルが印刷されてしまうことがない。
【００４７】
また、メディア３のレーベル面３ａに赤色ＬＥＤ１１、青色ＬＥＤ１２および黄色ＬＥＤ１３から照射された赤色光、青色光および黄色光は、レーベル面３ａがレーベル印刷可能な白色の場合には、それぞれレーベル面３ａで全反射される。従って、印刷可否判別手段２２は、各光検出器１４、１５、１６が検出したこれらの各光の反射光の光量に基づいて、メディア供給用スタッカ４から取り出されるメディア３が印刷可能メディアか印刷不可メディアかを容易に判断することができる。
【００４８】
また、本例では、印刷不可メディアを退避させる場所としてメディア排出用スタッカ７を用いているので、ＣＤ／ＤＶＤパブリッシャ１の筐体２内のスタッカの数を増やすことなく、印刷不可メディアを退避させることができる。
【００４９】
さらに、メディア搬送手段８は、メディア供給用スタッカ４から取り出した印刷可能メディアをメディアドライブ５に供給すると、メディア排出用スタッカ７に退避させた印刷不可メディアが無くなるまで、メディア排出用スタッカ７からメディア供給用スタッカ４に印刷不可メディアを戻す動作を繰り返す。従って、データの書き込みやレーベルの印刷が行われた後にメディア排出用スタッカ７に排出されているメディア３と、書き込みが行われていない印刷不可メディアとがメディア排出用スタッカ７内で混在した状態のままになってしまうことがない。また、メディアドライブ５においてデータの書き込みが行われている間に印刷不可メディアが移動されるので、メディア搬送手段８が印刷不可メディアをメディア供給用スタッカ４に戻す動作によってメディア３の発行処理動作が遅延してしまうことがない。
【００５０】
また、赤色ＬＥＤ１１、青色ＬＥＤ１２および黄色ＬＥＤ１３並びに３つの光検出器１４、１５、１６は、メディア３のレーベル面３ａの一部分を覆った状態で当該メディア３を把持するメディアキャリア３０の下端面部分３１に取り付けられている。従って、メディア３をメディア供給用スタッカ４から取り出す際に、赤色ＬＥＤ１１、青色ＬＥＤ１２および黄色ＬＥＤ１３から赤色光、青色光および黄色光をレーベル面３ａに照射することが容易である。また、レーベル面３ａからの各光の反射光の光量を各光検出器１４、１５、１６によって精度よく検出することができるので、メディア供給用スタッカ４から取り出すメディア３が印刷可能メディアであるか印刷不可メディアであるかを誤りなく判別することができる。
【００５１】
また、印刷有無判別手段２３によってメディア３に対してレーベルの印刷を行なわないことが判別されると、制御部２０は各ＬＥＤ１１、１２、１３を発光させず、印刷可否判別手段２２はメディア３が印刷可能メディアか印刷不可メディアかを判別しない。さらに、制御部２０はメディア搬送手段８を駆動制御して、メディア供給用スタッカ４からメディアドライブ５へメディア３を供給し、データが書き込まれたメディア３を、レーベルプリンタ６に供給することなくメディア排出用スタッカ７に排出する。従って、レーベルの印刷を行わないメディア３の発行処理動作を迅速に行うことができる。
【００５２】
（その他の実施の形態）
上記の例では、ステップＳＴ１７において、メディア搬送手段８は印刷可能メディアがメディアドライブ５にあるとき、メディア排出用スタッカ７に退避させた印刷不可メディアをメディア供給用スタッカ４に戻しているが、印刷可能メディアがレーベルプリンタ６にあるときに印刷不可メディアをメディア供給用スタッカ４に戻すこともできる。このようにしても、レーベルプリンタ６でレーベルの印刷が行われている間に印刷不可メディアを移動させることができるので、メディア搬送手段８が印刷不可メディアを移動させる動作によってメディアの発行処理動作が遅延してしまうことがない。
【００５３】
また、上記の例では、印刷不可メディアはメディア排出用スタッカ７に退避させられているが、メディア排出用スタッカ７とは別のスタッカをメディア退避用スタッカとして配置し、このメディア退避用スタッカに印刷不可メディアを退避させることもできる。このようにすれば、印刷不可メディアを専用のスタッカに退避させることができるので、メディア退避用スタッカに退避させた印刷不可メディアを元のメディア供給用スタッカ４に戻す必要がない。
【００５４】
また、筐体２内にメディア退避用スタッカを配置することにより、そこに退避させた印刷不可メディアを元のメディア供給用スタッカ４に戻さない場合には、メディアの発行動作をしている間に、メディア供給用スタッカ４内で混在している印刷不可メディアおよび印刷可能メディアから印刷不可メディアを分別できる。さらに、上位機器１７からのメディア発行指令にレーベル印刷指令が含まれていない場合には、印刷不可メディアを退避させたメディア退避用スタッカから印刷不可メディアを取り出してメディアドライブ５に供給することができるので、レーベルの印刷が必要ない場合には、印刷不可メディアを用いることができる。
【００５５】
さらに、上記の例では、赤色ＬＥＤ１１、青色ＬＥＤ１２および黄色ＬＥＤ１３並びに３つの光検出器１４、１５、１６はメディアキャリア３０に取り付けられていたが、メディアキャリア３０がメディア供給用スタッカ４からメディア３を取り出したときに、メディアキャリア３０が把持しているメディア３が通過する領域の上方に、これらを配置しておくこともできる。
【００５６】
また、メディアキャリア３０が把持しているメディア３が印刷可能メディアか印刷不可メディアを光検出器１４、１５、１６の出力に基づいて判別する際に、メディアキャリア３０によってメディア３を回転させればメディア３のレーベル面３ａの全面がレーベル印刷可能な白色か否かを検出することができるので、印刷可能メディアと印刷不可メディアとを確実に判別することができる。なお、メディア３が印刷可能メディアか印刷不可メディアを光検出器１４、１５、１６の出力に基づいて判別する時点は、メディアキャリアによってメディアを把持する直前、メディアを把持する動作中、メディアを把持した状態でメディアをメディア供給用スタッカ４から取り出す動作中、のいずれでもよい。
【００５７】
（ＣＤ／ＤＶＤパブリッシャの具体的構成例）
なお、図３ないし図６を参照して、ＣＤ／ＤＶＤパブリッシャ１の具体的構成例を説明する。図３は本発明の実施の形態に係るＣＤ／ＤＶＤパブリッシャ１を示す外観斜視図である。図４は、ＣＤ／ＤＶＤパブリッシャ１の内部構造が分かるように、筐体２の上板部分の一部を取り外すとともに、左右の開閉扉を開いた状態を示す斜視図である。
【００５８】
図３に示すように、ＣＤ／ＤＶＤパブリッシャ１は、略直方体形状の筐体２を備えており、筐体２の前面には左右に開閉可能な開閉扉２５、２６が取り付けられている。左側の開閉扉２５の下方には表示ランプ、操作ボタンなどが配列された操作パネル２７が形成されている。操作パネル２７の側方にはメディア排出口２８が形成されている。
【００５９】
左右の開閉扉２５、２６を開けると、図４に示すように、ＣＤ／ＤＶＤパブリッシャ１の筐体２内の右側の部位には、ブランクメディアなどの書き込み可能なメディア３を収納しておくためのメディア供給用スタッカ４と、データの書き込みやレーベルの印刷が終了したメディア３を排出するためのメディア排出用スタッカ７が同軸状態で上下に配置されている。メディア供給用スタッカ４およびメディア排出用スタッカ７の後側の部位には、筐体２内でメディア３を搬送するためのメディア搬送手段８が配置されている。
【００６０】
メディア供給用スタッカ４、メディア排出用スタッカ７およびメディア搬送手段８の側方の部位には、上側にメディアドライブ５が配置され、下側にレーベルプリンタ６が配置されている。図４では、メディアドライブ５およびレーベルプリンタ６のメディアトレイ５ａ、６ａはそれぞれ手前に引き出されたメディア受け渡し位置にある。メディアドライブ５およびレーベルプリンタ６の側方の部位には、レーベルプリンタ６へインクを供給するためのインクカートリッジを装着するためのカートリッジ装着部２９が設けられている。
【００６１】
メディア供給用スタッカ４は、前方に水平に引き出し可能なスライド板４ａと、このスライド板４ａの上に垂直に配置されている左右一対の円弧状の枠板４ｂ、４ｃとを備えている。メディア供給用スタッカ４にブランクメディアなどの書き込み可能なメディア３を収納あるいは補充する場合には、右側の開閉扉２６を開けてスライド板４ａを手間に引き出す。メディア３を円弧状の枠板４ｂ、４ｃの間に上方から挿入すると、メディア３は同軸状態で積層した状態でメディア供給用スタッカ４に収納されるので、これを筐体２内へ戻す。
【００６２】
下側のメディア排出用スタッカ７も、メディア供給用スタッカ４と同様に、前方に水平に引き出し可能なスライド板７ａと、この上面に垂直に配置されている左右一対の円弧状の枠板７ｂ、７ｃとを備えている。データの書き込み済みのメディア３やレーベルの印刷済みのメディア３はメディア搬送手段８によって円弧状の枠板７ｂ、７ｃの間に上方から挿入され、同軸状態に積層した状態でメディア排出用スタッカ７に保管される。右側の開閉扉２６を開けてスライド板７ａを手間に引き出すことにより、メディア排出用スタッカ７に保管されているメディア３を一括して取り出すことができる。
【００６３】
メディア搬送手段８は、筐体２に垂直に取り付けられているシャーシ３２と、このシャーシ３２の上下の水平支持板部分の間に垂直に架け渡されている垂直ガイド軸３３と、この垂直ガイド軸３３に取り付けたメディアキャリア３０とを備えている。メディアキャリア３０は、垂直ガイド軸３３に沿って昇降可能であるとともに、この垂直ガイド軸３３を中心に左右に旋回可能である。
【００６４】
図５はメディア搬送手段８のみを示す斜視図である。メディア搬送手段８は、シャーシ３２にメディアキャリア３０の昇降機構は駆動源であるモータ３４を備えており、このモータ３４の回転が歯車列３５を介してシャーシ３２の上端近傍位置に配置されている駆動側プーリ３６に伝達されるようになっている。シャーシ３２の下端近傍位置には従動側プーリ３７が配置されており、これら駆動側プーリ３６および従動側プーリ３７の間にタイミングベルト３８が架け渡されている。このタイミングベルト３８の左右のベルト部分の一方に、メディアキャリア３０の後端部分が固定されている。したがって、モータ３４を駆動すると、タイミングベルト３８が上下方向に移動し、そこに取り付けられているメディアキャリア３０が垂直ガイド軸３３に沿って昇降する。
【００６５】
メディアキャリア３０の旋回機構は駆動源であるモータ３９を備えており、このモータ３９の出力軸から歯車列４０を介して扇形の最終段歯車４１に伝達されるようになっている。扇形の最終段歯車４１は、垂直ガイド軸３３を中心として左右に旋回可能である。また、この最終段歯車４１には、メディアキャリア３０の昇降機構の構成部品が組み付けられているシャーシ３２が搭載されている。モータ３９を駆動すると扇形の最終段歯車４１が左右に旋回するので、ここに搭載されているシャーシ３２が一体となって垂直ガイド軸３３を中心として左右に旋回する。この結果、シャーシ３２に搭載されている昇降機構によって保持されているメディアキャリア３０が垂直ガイド軸３３を中心として左右に旋回する。
【００６６】
メディアキャリア３０は、その先端部に把持機構４２が搭載されている。把持機構４２は、例えば、３本の把持爪を備えるものであり、それらの一本の爪が半径方向に移動可能となっている。３本の把持爪をメディア３のセンターホールに差し込み、一本の爪を半径方向の外方に移動させることにより、メディア３を把持する。また、このメディアキャリア３０にメディア３を把持している状態から一本の爪を半径方向の内方に移動させることにより、メディア３を開放して把持爪から落下させることができる。
【００６７】
また、メディアキャリア３０の先端側部分の下端面部分３１はメディアキャリア３０に把持されているメディア３のレーベル面３ａに対して所定の隙間を空けて平行になるように構成されており、この下端面部分３１にはメディアキャリア３０に把持されているメディア３のレーベル面３ａに対して赤色光、青色光および黄色光を照射するための赤色ＬＥＤ１１、青色ＬＥＤ１２および黄色ＬＥＤ１３が取り付けられている。また、レーベル面３ａから反射される赤色光の反射光、青色光の反射光および黄色光の反射光をそれぞれ検出する３つの光検出器１４、１５、１６が取り付けられている。各光検出器１４、１５、１６はフォトトランジスタ１８を有しており、例えば、図６に示す回路を備えている。
【００６８】
ここで、赤色ＬＥＤ１１、青色ＬＥＤ１２および黄色ＬＥＤ１３からメディアキャリア３０に把持されているメディア３のレーベル面３ａに向かって赤色光、青色光および黄色光が照射されると、そのレーベル面３ａがレーベル印刷可能な白色の場合には、赤色光の反射光、青色光の反射光および黄色光の反射光の各光量が最大値となり、このときに、図６に示す光検出器１４、１５、１６では、３つの光検出器１４、１５、１６から出力される各電圧値Ｖｏｕｔが暗電流を除きそれぞれ０になるように設定されている。或いは、コンパレータやオペアンプにより、特定の閾値と比較するようにしてもよい。
【００６９】
一方、メディアキャリア３０に把持されているメディア３のレーベル面３ａがレーベル印刷可能な白色でない場合には、各光検出器１４、１５、１６が検出したこれら赤色光の反射光、青色光の反射光および黄色光の反射光の各光量のいずれかが最大値よりも小さくなっている。この結果、図６に示す光検出器１４、１５、１６では、いずれかの光検出器１４、１５、１６から出力される電圧値Ｖｏｕｔが０とは異なる値になる。
【００７０】
従って、光検出器１４、１５、１６から出力される電圧値Ｖｏｕｔが全て０の場合には、このメディア３を印刷可能メディアであると判別できる。一方、光検出器１４、１５、１６から出力される電圧値Ｖｏｕｔが全て０ではない場合には、印刷不可メディアであると判別できる。
【００７１】
なお、図４に示すように、メディア供給用スタッカ４およびメディア排出用スタッカ７の左右一対の枠板４ｂ、４ｃおよび枠板７ｂ、７ｃの間には、メディアキャリア３０が昇降可能な隙間が形成されている。また、これら上下のメディア供給用スタッカ４およびメディア排出用スタッカ７の間には、メディアキャリア３０が水平に旋回して、これらの真上に位置できるように、空間が形成されている。さらに、メディア供給用スタッカ４の上方からメディアキャリア３０を水平に旋回させると、メディア受け渡し位置にあるメディアドライブ５のメディアトレイ５ａにアクセス可能となっている。また、上側のメディアトレイ５ａをメディアドライブ５に押し込んだ後にメディアキャリア３０を下降させると、メディア受け渡し位置にあるレーベルプリンタ６のメディアトレイ６ａにアクセス可能となっている。さらに、上下のメディアトレイ５ａ、６ａをメディアドライブ５およびレーベルプリンタ６に押し込んだ後にメディアキャリア３０を下降させると、メディア排出口２８にアクセス可能となっている。従って、メディアキャリア３０の昇降および左右への旋回の組み合わせ動作によって、メディア３を各部分に搬送することが可能である。
【図面の簡単な説明】
【００７２】
【図１】本発明を適用したＣＤ／ＤＶＤパブリッシャの概略構成図である。
【図２】メディアの発行処理動作を示すフローチャートである。
【図３】ＣＤ／ＤＶＤパブリッシャの斜視図である。
【図４】内部が見えるように開閉扉を開けたＣＤ／ＤＶＤパブリッシャの斜視図である。
【図５】メディア搬送手段を取り出して示した斜視図である。
【図６】光検出器の回路構成例である。
【符号の説明】
【００７３】
１・ＣＤ／ＤＶＤパブリッシャ、２・筐体、３・メディア、３ａ・レーベル面、４・メディア供給用スタッカ、５・メディアドライブ、６・レーベルプリンタ、７・メディア排出用スタッカ、８・メディア搬送手段、１１，１２，１３・ＬＥＤ、１４，１５，１６・光検出器、１７・上位機器、１８・フォトトランジスタ、２０・制御部、２１・制御指令受信手段、２２・印刷可否判別手段、２３・印刷有無判別手段、３０・メディアキャリア、３１・下端面部分、４２・把持機構
【図１】
2009238307.tif 000003
【図２】
2009238307.tif 000004
【図３】
2009238307.tif 000005
【図４】
2009238307.tif 000006
【図５】
2009238307.tif 000007
【図６】
2009238307.tif 000008